(57)【特許請求の範囲】
【請求項１】
線状弾性材を屈曲してなり、爪の先端側から見て、爪の幅方向右側端縁及び左側端縁の一方に係合可能な第１装具と線状弾性材を屈曲してなり、前記爪の幅方向右側端縁及び左側端縁の他方に係合可能で、前記第１装具と別体の第２装具と、前記第１装具と前記第２装具とが、爪の先端側から見て左右対称に爪の幅方向右側端縁及び左側端縁に係合された状態で、前記第１装具と前記第２装具に巻き付けられ、これらを相互に接近する方向に引き付け可能な巻き締め部材と、を有する重度巻き爪の予備矯正用具であって、
前記第１装具は、爪の幅方向右側端縁及び左側端縁の一方に係合可能な第１係合部を一端に備えた線状弾性材からなる第１掛止部と、前記第１係合部が前記爪の幅方向一方の側端縁に係合している状態で、湾曲の外側で爪甲の表面に当接するように、該爪甲側に凸に湾曲された第１円弧状部とを、前記第１掛止部の前記第１円弧状部との接続部を含む第１直平面内で連続して形成してなり、且つ、前記第１係合部と反対側の端部が第１フリーエンド部とされ、
前記第２装具は、爪の幅方向右側端縁及び左側端縁の他方に係合可能な第２係合部を一端に備えた線状弾性材からなる第２掛止部と、前記第２係合部が前記他方の側端縁に係合している状態で、湾曲の外側で爪甲の表面に当接するように、該爪甲側に凸に湾曲された第２円弧状部とを、前記第２掛止部の前記第２円弧状部との接続部を含む第２直平面内に連続して形成してなり、且つ、前記第２係合部と反対側の端部が第２フリーエンド部とされ、
前記巻き締め部材は、前記第１掛止部及び第２掛止部が、前記第１直平面と第２直平面とが、爪甲の面及び爪甲の幅方向中心線と直交する共通直平面と平行になるように、且つ、爪の先端側から見て左右対称に爪の幅方向右側端縁及び左側端縁に引掛けられた状態で、前記第１円弧状部と第１フリーエンド部を含むこれらの間及び第２円弧状部と第２フリーエンド部を含むこれらの間に巻き掛け可能とされた、
ことを特徴とする重度巻き爪の予備矯正用具。
【請求項２】
請求項１において、
前記第１装具及び第２装具は、同一形状であって、第１係合部が前記爪の幅方向一方の側端縁に、前記第２係合部が前記爪の幅方向他方の側端縁に、それぞれ係合した状態で、爪甲を上から見たとき、爪の幅方向中心線と、これと直交する前記共通直平面との交点を中心として回転対称となるように装着可能とされたことを特徴とする重度巻き爪の予備矯正用具。
【請求項３】
請求項１又は２において、
前記第１装具は下向きに凸の下第１円弧状部及びこの下第１円弧状部の上端から連続する上向きに凸の上第１円弧状部を、前記第１直平面内でＳ字形状に形成してなり、爪甲の面及び爪甲の幅方向中心線と直交する直平面内で、爪の先端側から見て、前記下第１円弧状部の上向きの先端が爪の幅方向右側端縁及び左側端縁の一方の裏側に係合可能な、前記第１掛止部を構成し、又、前記上第１円弧状部における円弧の一部が、その外側で、前記爪甲の表面に当接可能な前記第１円弧状部を構成し、
前記上第１円弧状部は、前記第１掛止部及び第２掛止部が、前記第１直平面と第２直平面とを共通にして爪の先端側から見て、爪の幅方向右側端縁及び左側端縁に引掛けられた状態で、前記巻き締め部材が掛けられるように構成されたことを特徴とする重度巻き爪の予備矯正用具。
【請求項４】
請求項３において、
前記第１装具は、前記上第１円弧状部の、前記下第１円弧状部と反対側の端部から連続して、前記第１直平面とほぼ同一の面内に形成され、該上第１円弧状部と同一方向に巻かれた少なくとも１つのループを含む第１ループ部を有し、
前記巻き締め部材は、前記上第１円弧状部及び前記少なくとも１つのループの延長部に巻き掛け可能とされた可撓性部材を含むことを特徴とする重度巻き爪の予備矯正用具。
【請求項５】
請求項３において、
前記第１装具は、前記上第１円弧状部の、前記下第１円弧状部と反対側の端部から連続して、前記第１直平面内で前記上第１円弧状部と同一方向に巻いて形成された第１うず巻き部を有し、
前記巻き締め部材は、前記第１うず巻き部に巻き掛けられる可撓性部材を含むことを特徴とする重度巻き爪の予備矯正用具。
【請求項６】
請求項３又は４において、
前記第２装具は、下向きに凸の下第２円弧状部及びこの下第２円弧状部の上端から連続する上向きに凸の上第２円弧状部を、前記第２直平面内で連続的に形成してなり、爪甲の面及び爪甲の幅方向中心線と直交する直平面内で、爪の先端側から見て、前記下第２円弧状部の上向きの先端が爪の幅方向右側端縁及び左側端縁の他方の裏側に係合可能な、前記第２掛止部を構成し、又、前記上第２円弧状部における円弧の一部が、その外側で、前記爪甲の表面に当接可能な前記第２円弧状部を構成し、
前記上第２円弧状部は、前記第１掛止部及び第２掛止部が、前記第１直平面と第２直平面とを共通にして爪の先端側から見て、爪の幅方向右側端縁及び左側端縁に引掛けられた状態で、前記巻き締め部材が掛けられるように構成されたことを特徴とする重度巻き爪の予備矯正用具。
【請求項７】
請求項６において、
前記第２装具は、前記上第２円弧状部の、前記下第２円弧状部と反対側の端部から連続して、前記第２直平面とほぼ同一の面内に形成され、該上第２円弧状部と同一方向に巻かれた少なくとも１つのループを含む第２ループ部を有し、
前記巻き締め部材は、前記上第２円弧状部及び前記少なくとも１つのループの延長部に巻き掛け可能とされた可撓性部材を含むことを特徴とする重度巻き爪の予備矯正用具。
【請求項８】
請求項５において、
前記第２装具は、前記上第２円弧状部の、前記下第２円弧状部と反対側の端部から連続して、前記第２直平面内で前記上第２円弧状部と同一方向に巻いて形成された第２うず巻き部を有し、
前記巻き締め部材は、前記第２うず巻き部に巻き掛けられる可撓性部材を含むことを特徴とする重度巻き爪の予備矯正用具。
【請求項９】
請求項４において、
前記第１装具の前記第１ループ部は、第１主ループと第１副ループからなり、前記第１主ループの始端と、前記第１副ループの終端とが、前記第１直平面内にあるように形成されていることを特徴とする重度巻き爪の予備矯正用具。
【請求項１０】
請求項７において、
前記第２装具の前記第２ループ部は、第２主ループと第２副ループからなり、前記第２主ループの始端と、前記第２副ループの終端とが、前記第２直平面内にあるように形成されていることを特徴とする重度巻き爪の予備矯正用具。
【請求項１１】
請求項４又は９において、
前記第１装具は、前記第１ループ部の、前記下第１円弧状部と反対側の端部から連続して、前記第１直平面内で前記第１ループ部のループと同一方向に巻いて形成された第１うず巻き部を有し、
前記巻き締め部材は、前記第１うず巻き部に巻き掛けられる可撓性部材を含むことを特徴とする重度巻き爪の予備矯正用具。
【請求項１２】
請求項７又は１０において、
前記第２装具は、前記第２ループ部の、前記下第２円弧状部と反対側の端部から連続して、前記第２直平面内で前記第２ループ部のループと同一方向に巻いて形成された第２うず巻き部を有し、
前記巻き締め部材は、前記第２うず巻き部に巻き掛けられる可撓性部材を含むことを特徴とする重度巻き爪の予備矯正用具。
【請求項１３】
請求項１乃至１２のいずれかにおいて、
前記巻き締め部材は、前記第１掛止部及び第２掛止部が、前記第１直平面と第２直平面とが、爪甲の面及び爪甲の幅方向中心線と直交する同一直平面内にあるように、且つ、爪の先端側から見て、左右対称に爪の幅方向右側端縁及び左側端縁に引掛けられた状態で、前記第１円弧状部及び第２円弧状部に掛けられたゴム帯を含んでなり、このゴム帯は、一端に前記第１円弧状部が貫通する第１貫通孔と、他端に前記第２円弧状部が貫通する第２貫通孔をそれぞれ備え、且つ、前記第１円弧状部及び第２円弧状部の間において、爪甲に密着するように構成されていることを特徴とする重度巻き爪の予備矯正用具。
【請求項１４】
請求項１乃至１３のいずれかにおいて、
前記第１装具は、前記第１掛止部と前記第１円弧状部との間に、前記第１直平面と直交し、且つ、前記爪の幅方向右側端縁及び左側端縁の一方と平行な直平面内に、前記第１掛止部から前記第１円弧状部まで連続する第１平行ループ部を形成したことを特徴とする重度巻き爪の予備矯正用具。
【請求項１５】
請求項１乃至１４のいずれかにおいて、
前記第２装具は、前記第２掛止部と前記第２円弧状部との間に、前記第２直平面と直交し、且つ、前記爪の幅方向右側端縁及び左側端縁の他方と平行な直平面内に、前記第２掛止部から前記第２円弧状部まで連続する第２平行ループ部を形成したことを特徴とする重度巻き爪の予備矯正用具。
【請求項１６】
請求項１乃至１５のいずれかにおいて、
前記第１係合部は、前記第１掛止部から連続して形成され、爪の幅方向右側端縁及び左側端縁の一方の裏側に係止可能なＵ字形状の線状弾性材からなり、
前記第２係合部は、前記第２掛止部から連続して形成され、爪の幅方向右側端縁及び左側端縁の他方の裏側に係止可能なＵ字形状の線状弾性材からなる、
ことを特徴とする重度巻き爪の予備矯正用具。
【請求項１７】
請求項１乃至１５のいずれかにおいて、
前記第１係合部と第２係合部の少なくとも一方は、爪の右側端縁及び左側端縁の一方の表面に熱接着・硬化可能な第１熱可塑性樹脂部とされ、前記第１掛止部は、前記第１円弧状部に連続して形成されていて、爪の右側端縁及び左側端縁の一方の表面に熱接着・硬化された前記第１熱可塑性樹脂部に掛止可能な第１線状引掛部を有してなる、
ことを特徴とする重度巻き爪の予備矯正用具。
【請求項１８】
請求項１７において、
爪に熱接着・硬化された状態の前記第１熱可塑性樹脂部は、爪甲の幅方向中心線と平行な第１引掛孔部を有し、前記第１線状引掛部は前記第１引掛孔部に挿通、且つ、引き抜き自在の第１直線状部を有する、
ことを特徴とする重度巻き爪の予備矯正用具。
【請求項１９】
請求項１７又は１８において、
前記第２係合部は、爪の右側端縁及び右側端縁の他方の表面に熱接着・硬化可能な第２熱可塑性樹脂部とされ、前記第２掛止部は、前記第２円弧状部に連続して形成されていて、爪の右側端縁及び右側端縁の他方の表面に熱接着・硬化された前記第２熱可塑性樹脂部に掛止可能な第２線状引掛部を有してなる、
ことを特徴とする重度巻き爪の予備矯正用具。
【請求項２０】
請求項１９において、
爪に熱接着・硬化された状態の前記第２熱可塑性樹脂部は、爪甲の幅方向中心線と平行な第２引掛孔部を有し、前記第２線状引掛部は前記第２引掛孔部に挿通、且つ、引き抜き自在の第２直線状部を有する、
ことを特徴とする重度巻き爪の予備矯正用具。
【発明の詳細な説明】
【技術分野】
【０００１】
本発明は、長時間装着して巻き爪を矯正する巻き爪矯正用具が取り付けられないような重度の巻き爪を、短時間で巻き爪矯正用具を装着可能とする重度巻き爪の予備矯正用具に関する。
【背景技術】
【０００２】
本発明者は、特許文献１に記載されるような、巻き爪矯正用具について特許を取得している。
【０００３】
この巻き爪用矯正用具の一つは、線状弾性材を、同一平面内又は曲面内で少なくとも２つの半円弧状部を含む一筆描き様で屈曲して形成された第１屈曲部を備えた第１装具の一端の第１係止部を、爪の幅方向右側端縁及び左側端縁の一方に係止し、線状弾性材を、同一平面内又は曲面内で少なくとも２つの半円弧状部を含む一筆描き様で屈曲して形成された第２屈曲部を備えた第２装具の一端の第２係止部を、爪の幅方向右側端縁及び左側端縁の他方に係止し、可撓性材料からなる巻き締め部材を、前記第１装具と第２装具とに巻き掛けて、前記第１係止部及び第２係止部が相互に接近する方向に巻き締めするようにしたものである。
【先行技術文献】
【特許文献】
【０００４】
【特許文献１】ＷＯ２０１３／０２７２５６号公報
【発明の概要】
【発明が解決しようとする課題】
【０００５】
上記特許文献１の巻き爪矯正用具は、装着した状態で、患者が通常の生活をできるようにするために、線状弾性材を同一平面内又は曲面内で少なくとも２つの半円弧状部を含む一筆描き様で屈曲して形成された第１装具及び第２装具を有し、これら第１装具及び第２装具を爪甲の表面に重ねて巻き締め部材により巻き付けた構成であるために、巻き爪が、例えば、直径５ｍｍで、中心角が２７０度以上の円弧状に強く巻かれているとき、仮に、第１装具及び第２装具の係止部を巻き爪の幅方向両端に掛け止めできたとしても、この巻き爪を大きな角度で巻き戻すような矯正力を付与することができない場合があった。
【０００６】
本発明は、上記問題点に鑑みてなされたものであって、重度の巻き爪を、爪甲に沿って平面内又は曲面内で波状に一筆書き様で屈曲して形成された第１及び第２装具を装着して矯正可能となるまで、巻き爪を短時間で矯正するための重度巻き爪の予備矯正用具を提供することを課題とする。
【課題を解決するための手段】
【０００７】
本発明者は、鋭意研究の結果、爪の先端側から見て、爪の幅方向右側端縁にそれぞれ第１装具と第２装具を係合させて、且つ、その状態で、線状弾性材からなる第１装具及び第２装具のフリーエンド部を爪甲の面及び爪甲の幅方向中心線と直交する直平面内で、爪の幅方向右側及び左側端縁を中心として幅方向中心方向に大きく揺動させることにより、短時間で重度の巻き爪の幅方向右側及び左側端縁を開くことができることを見出した。
【０００８】
また、これら第１及び第２装具によって重度の巻き爪の幅方向右側及び左側端縁を開くことができれば、これに、従来の、爪甲の表面に沿って巻き締められる平面状の第１及び第２装具を係止させることにより、通常の生活をしつつ長時間矯正して、矯正状態を固定できることを見出した。
【０００９】
すなわち、以下の実施例により上記課題を解決することができる。
【００１０】
線状弾性材を屈曲してなり、爪の先端側から見て、爪の幅方向右側端縁及び左側端縁の一方に係合可能な第１装具と線状弾性材を屈曲してなり、前記爪の幅方向右側端縁及び左側端縁の他方に係合可能で、前記第１装具と別体の第２装具と、前記第１装具と前記第２装具とが、爪の先端側から見て左右対称に爪の幅方向右側端縁及び左側端縁に係合された状態で、前記第１装具と前記第２装具に巻き付けられ、これらを相互に接近する方向に引き付け可能な巻き締め部材と、を有する重度巻き爪の予備矯正用具であって、前記第１装具は、爪の幅方向右側端縁及び左側端縁の一方に係合可能な第１係合部を一端に備えた線状弾性材からなる第１掛止部と、前記第１係合部が前記爪の幅方向一方の側端縁に係合している状態で、湾曲の外側で爪甲の表面に当接するように、該爪甲側に凸に湾曲された第１円弧状部とを、前記第１掛止部の前記第１円弧状部との接続部を含む第１直平面内で連続して形成してなり、且つ、前記第１係合部と反対側の端部が第１フリーエンド部とされ、前記第２装具は、爪の幅方向右側端縁及び左側端縁の他方に係合可能な第２係合部を一端に備えた線状弾性材からなる第２掛止部と、前記第２係合部が前記他方の側端縁に係合している状態で、湾曲の外側で爪甲の表面に当接するように、該爪甲側に凸に湾曲された第２円弧状部とを、前記第２掛止部の前記第２円弧状部との接続部を含む第２直平面内に連続して形成してなり、且つ、前記第２係合部と反対側の端部が第２フリーエンド部とされ、前記巻き締め部材は、前記第１掛止部及び第２掛止部が、前記第１直平面と第２直平面とが、爪甲の面及び爪甲の幅方向中心線と直交する共通直平面と平行になるように、且つ、爪の先端側から見て左右対称に爪の幅方向右側端縁及び左側端縁に引掛けられた状態で、前記第１円弧状部と第１フリーエンド部を含むこれらの間及び第２円弧状部と第２フリーエンド部を含むこれらの間に巻き掛け可能とされたことを特徴とする重度巻き爪の予備矯正用具により上記課題を解決することができる。
【００１１】
本発明は、また、巻き爪部分を３５℃〜４５℃の温湯に約１５分間浸けた後に、上記のような予備矯正用具における前記第１装具及び第２装具を、前記第１直平面と第２直平面とが、爪甲の面及び爪甲の幅方向中心線と直交する同一直平面内にあるように、且つ、爪の前記幅方向中心線方向から見て、左右対称に爪の幅方向右側端縁及び左側端縁に引掛けた状態で、前記巻き締め部材により、前記第１円弧状部及び第２円弧状部を相互に接近する方向に引き付けて、前記爪の幅方向右側端縁及び左側端縁を開くことを特徴とする重度巻き爪の予備矯正方法により、上記課題を解決するものである。
【００１２】
更に、上記の予備矯正方法により、重度巻き爪を予備矯正した後に、線状弾性材を、同一平面内又は曲面内で少なくとも２つの半円弧状部を含む一筆描き様で屈曲して形成された第１屈曲部を備えた第１装具の一端の第１係止部を、前記予備矯正した爪の幅方向右側端縁及び左側端縁の一方に係止し、線状弾性材を、同一平面内又は曲面内で少なくとも２つの半円弧状部を含む一筆描き様で屈曲して形成された第２屈曲部を備えた第２装具の一端の第２係止部を、爪の幅方向右側端縁及び左側端縁の他方に係止し、可撓性材料からなる巻き締め部材を、前記第１装具と第２装具とに巻き掛けて、前記第１係止部及び第２係止部が相互に接近する方向に巻き締めすることを特徴とする重度巻き爪の矯正方法により、上記課題を解決することができる。
【発明の効果】
【００１３】
本発明によれば、重度の巻き爪も、幅方向右側端縁及び左側端縁を短時間で開いて、常時装着用の矯正用具の装着可能な状態に調整することができるという効果を有する。
【図面の簡単な説明】
【００１４】
【図１】本発明の実施例１に係る巻き爪の予備矯正用具を示す平面図
【図２】同予備矯正用具を、巻き締め部材を省略して示す拡大正面図
【図３】同予備矯正用具を爪に装着して予備矯正する初期過程を模式的に示す正面図
【図４】同予備矯正の途中の過程を模式的に示す正面図
【図５】図１と同様の状態を示す写真
【図６】第１装具と第２装具を重度巻き爪に係止させた状態を示す写真
【図７】予備矯正を終えた状態を示す写真
【図８】予備矯正を終了後の爪に、通常の巻き爪矯正用具を装着した状態を示す写真
【図９】第１及び第２装具への巻き締め部材を糸とした場合の具体的な巻き掛け手順における最初の状態を示す写真。
【図１０】図９に示される状態から第２装具のループ部を引き付ける過程を示す写真
【図１１】図１０に示された状態から第１装具の第１フリーエンド部に糸を掛けた状態を示す写真
【図１２】第１フリーエンド部を引き寄せた状態を示す写真
【図１３】図１２の状態から更に第１フリーエンド部を引き寄せた状態を示す写真
【図１４】第１、第２フリーエンド部を引き寄せた後に、余った糸を巻き付けた状態を示す写真
【図１５】実施例２に係る巻き爪の予備矯正用具を示す平面図
【図１６】実施例３に係る巻き爪の予備矯正用具を示す平面図
【図１７】実施例４に係る巻き爪の予備矯正用具を示す平面図
【図１８Ａ】実施例５に係る巻き爪の予備矯正用具を示す斜視図
【図１８Ｂ】実施例５に係る巻き爪の予備矯正用具を図１８Ａの状態から傾けて示す斜視図
【図１９】実施例６に係る巻き爪の予備矯正用具を示す斜視図
【図２０】実施例７に係る巻き爪の予備矯正用具を示す平面図
【図２１】同実施例７の一部のゴム帯を示す斜視図
【発明を実施するための形態】
【００１５】
本発明の実施の形態に係る重度巻き爪の予備矯正用具は、爪の幅方向右側端縁及び左側端縁の一方に係合可能な第１装具と、この第１装具とは別体で、爪の幅方向右側端縁及び左側端縁の他方に係合可能な第２装具と、第１装具と第２装具とが、爪の先端側から見て左右対称に爪の幅方向右側端縁及び左側端縁に係合された状態でこれらに巻き付けられ、相互に接近する方向に引き付け可能な巻き締め部材と、を備えて構成されている。
【００１６】
第１装具及び第２装具は、共に線状弾性材を屈曲して構成されている。
【００１７】
第１装具は、爪の幅方向右側端縁及び左側端縁の一方に係合可能な第１係合部を備えた線状弾性材からなる第１掛止部と、第１係合部が爪の幅方向一方の側端縁に係合している状態で、湾曲の外側で爪甲の表面に当接するように爪甲側に凸に湾曲された第１円弧状部とが、これらの接続部を含む第１直平面内で連続して形成されていて、第２装具も同様に、第２掛止部と第２円弧状部との接続部を含む第２直平面内で連続して構成されていて、これら第１掛止部及び第２掛止部を第１及び第２直平面が爪甲の面及び爪甲の幅方向中心線と直交する同一直平面内にあるようにして、第１及び第２円弧状部を巻き締め部材に巻き掛けて引っ張ると、第１及び第２装具は、爪甲の面及び幅方向中心線と直交する同一直平面内で中心方向に揺動して爪の幅方向右側及び左側端縁を引き起こして通常の巻き爪矯正用具が係合できるようになるまで重度巻き爪を大きな矯正力で開くことができる。
【００１８】
第１装具及び第２装具の一部又は全部を構成する線状弾性材は、例えば超弾性合金であるニッケル−チタン合金（ニチノール）、銅−アルミニウム−マンガン合金、あるいは、銅−アルミニウム−ニッケル合金からなり、また、例えば超弾性樹脂であるポリフェニールサルフォンからなり、その超弾性効果によって、変形状態から復元しようとする力が一定に保たれて、巻き爪に対して安定して矯正力を付与するものである。
【００１９】
巻き締め部材は、綿や絹あるいは樹脂製の糸、ゴム糸あるいは同様の材料によって形成された細い紐、帯状のゴムなどを用いる。
【００２０】
この重度巻き爪の予備矯正用具は、第１装具と第２装具とを左右対称に用いてもよく、巻き爪の左右の大きさや変形によってその大きさや線径を選択すればよく、また、左右非対称であってもよい。また、第１装具の第１係止部をフック形状部として、一方の側部の裏側に、また、第２装具の第２係止部を、他方の側部の外側に、例えば接着によって係止する構成としてもよい。
【００２１】
上記接着によって係止する構成とは、（爪の側部の外側に、）熱可塑性樹脂とともに、線状弾性材の端部を貼り付けたり、又、接着した熱可塑性樹脂に線状弾性材の端部を差し込んだり、直接又は間接的に引っ掛けるようにする構成である。
【００２２】
第１係止部は、爪甲の幅方向一方の側部の裏側に係止するようにされたフック形状部の先端から構成されるか、あるいは、側部の表側に、樹脂により実質的に接着又は掛止自在とされている。第２係止部も同様である。
【実施例１】
【００２３】
本発明の実施例１に係る重度巻き爪の予備矯正用具１０は、図１〜図３に示されるように、爪１に、その幅方向右側端縁及び左側端縁の一方から装着可能な第１装具２０と、爪１に、その幅方向右側端縁及び左側端縁の他方から装着可能な第２装具３０と、これら第１装具２０及び第２装具３０を爪１に装着した状態で、両者に巻き掛け可能とされ、且つ、爪１の幅方向両側端縁が開かれるように巻き締め可能とされた巻き締め部材４０とを備えて構成されている。第１装具２０及び第２装具３０のいずれも、一本の線状弾性材を屈曲されて形成された構成となっている。
【００２４】
詳細には、爪１を正面から見て、幅方向の右側端縁２Ａが反時計方向に、左側端縁２Ｂが時計方向に、それぞれ開かれるように第１装具２０及び第２装具３０の自由端縁にモーメントが付与されるようになっている。
【００２５】
第１装具２０は、爪１の幅方向右側端縁２Ａ及び左側端縁２Ｂのうち、右側端縁２Ａに係合可能な第１係合部２２を一端に備えた線状弾性材からなる第１掛止部２１と、第１係合部２２が爪１の幅方向一方の側端縁（この実施例では右側端縁）２Ａに係合している状態で、湾曲の外側で爪甲３の表面に当接するように、爪甲３側に凸に湾曲された第１円弧状部２３と、第１掛止部２１の第１円弧状部２３との接続部２４を含む第１直平面２５内で連続して形成してなり、且つ、第１係合部２２と反対側（自由端縁側）の端部が第１フリーエンド部２９とされている。
【００２６】
第２装具３０は、爪１の幅方向右側端縁２Ａ及び左側端縁２Ｂのうち、左側端縁２Ｂに係合可能な第２係合部３２を一端に備えた線状弾性材からなる第２掛止部３１と、第２係合部３２が左側端縁２Ｂに係合している状態で、湾曲の外側で爪甲３の表面に当接するように、爪甲３側に凸に湾曲された第２円弧状部３３と、第２掛止部３１の第２円弧状部３３との接続部３４を含む第２直平面３５内で連続して形成してなり、且つ、第２係合部３２と反対側（自由端側）の端部を第２フリーエンド部３９としたものである。
【００２７】
第１装具２０と第２装具３０とは同一形状であり、第１直平面２５及び第２直平面３５を、爪甲３と直交するように装着した状態で上から見たとき、第１直平面２５及び第２直平面３５の中間にある共通直平面４１と爪１の幅方向中心線４との交点を中心として、回転対称（１８０°）となるように爪に装着する。
【００２８】
第１装具２０における第１円弧状部２３は、第１ループ部２６の一部とされている。この第１ループ部２６は、接続部２４と反対側に形成された約３６０度のループを有し、更に、第１フリーエンド部２９に連続して構成されている。第１フリーエンド部２９は、第１ループ部２６と同一方向に約３／４円弧形状に巻かれた形状とされている。
【００２９】
第２装具３０における第２円弧状部３３は、第１装具２０におけると同様に、第２ループ部３６の一部から構成され、第２ループ部３６は、約３６０度のループを有し、更に、第２フリーエンド部３９に連続して構成されている。第２フリーエンド部３９は、第２ループ部３６と同一方向に約３／４円弧形状に巻かれた形状となっている。
【００３０】
次に、図３を参照して、実施例１に係る第１装具２０、第２装具３０を爪甲３に装着して、巻き締め部材４０によりこれらを巻き締めして、爪１の幅方向右側端縁２Ａ及び幅方向左側端縁２Ｂを巻き爪の巻き方向と反対方向に開いて予備矯正する過程について説明する。
【００３１】
まず、図３に示されるように、第１装具２０及び第２装具３０のそれぞれの第１係合部２２及び第２係合部３２を、爪の幅方向右側端縁２Ａ及び左側端縁２Ｂに、それぞれ裏側から係止するようにして装着する。このとき、前記第１掛止部２１及び第２掛止部３１が、図２に示されるように、前記第１直平面２５と第２直平面３５とが、爪甲３の面及び爪甲３の幅方向中心線４に対して直交する共通直平面４１内の両側で平行になるように、且つ、爪の先端側から見て左右対称に爪の幅方向右側端縁２Ａ及び左側端縁２Ｂに引掛けると、これらは前述のように回転は対称となる。
【００３２】
第１装具２０及び第２装具３０のそれぞれの第１係合部２２及び第２係合部３２と反対側の端部は第１フリーエンド部２９及び第２フリーエンド部３９とされているので、第１係合部２２、第２係合部３２を右側端縁２Ａ、左側端縁２Ｂの裏側に係止する際の妨げとならず係止が容易である。
【００３３】
次に、例えば糸からなる巻き締め部材４０を、第１装具２０においては、第１円弧状部２３と第１フリーエンド部２９とを含むこれらの間の部分、及び、第２装具３０においては、第２円弧状部３３と第２フリーエンド部３９を含むこれらの間の部分に巻き掛けて巻き締め部材４０を引っ張って、更に巻き掛けて、且つ、巻き締めする過程を繰り返す。
【００３４】
図３では、まず、第１、第２ループ部２６、３６に巻き締め部材４０をかけて、これらを引き寄せて、第１、第２装具２０、３０を安定させてから第１ループ部２６と第２フリーエンド部３９間を巻き締めて引き寄せる。
【００３５】
最初、巻き締め部材４０は、後述のひばり結びにより先端を第１又は第２装具２０、３０に結び付けてもよい。
【００３６】
上記のように、巻き締め部材４０によって巻き締めすると、図３に示されるように、第２装具３０は、第２円弧状部３３の外側に凸の部分が爪甲３に接触して、その接触点を中心として、第２フリーエンド部３９側が、図１、図３において時計方向に引っ張られ、てこの原理により、第２円弧状部３３と爪甲３との接点から先の第２係合部３２が該接点を中心として時計方向に強く引っ張られ、第２係合部３２が係止している爪１の左側端縁２Ｂが時計方向に外側に広げられる。図３はこの外側に広げられる過程の初期状態を示している。
【００３７】
このとき、第２装具３０の第２フリーエンド部３９が爪甲３に接近する方向に引っ張られるが、第２フリーエンド部３９は、爪１の左側端縁２Ｂから、爪１に対して外側に突出しているので、この部分に巻き締め部材４０を巻き掛けて巻き締めすると、左側端縁２Ｂは、てこの原理によって増大された力により、矯正方向に曲げられる。
【００３８】
また、爪１は重度の巻き爪であって、爪の正面からみて中心角が２７０度近くになっているので、これらに係合された第１装具２０の第１フリーエンド部２９と第２装具３０の第２フリーエンド部３９とは、その間が大きく開いている。
【００３９】
したがって、図３の状態から、巻き締め部材４０を第１フリーエンド部２９と第２ループ部３６間に掛け廻して、更に巻き締めすると、爪１の右側端縁２Ａを大きく開くことができる（図４参照）。
【００４０】
この実施例の場合、第１装具２０と第２装具３０とは同一形状で、図２に示されるように、共通直平面４１と爪１の幅方向中心線４との交点を中心とした回転対称となるように装着されているので、第１フリーエンド部２９と第２フリーエンド部３９は、図１において反時計方向及び時計方向にそれぞれ変形したとき、互いに干渉することなくすれ違うことができる。
【００４１】
したがって、第１、第２フリーエンド部２９及び３９は、爪１の正面から見て衝突する位置から、更に大きく揺動させることができる。
【００４２】
上記図３及び図４に示される過程に対応する実際の治療例の写真を図５〜図７に示す。
【００４３】
図５は、第１装具２０と第２装具３０とを重度巻き爪の右側端縁２Ａ及び左側端縁２Ｂに係止させた状態の写真である。
【００４４】
図５から分かるように、重度巻き爪の右側端縁２Ａと左側端縁２Ｂとは、その巻き状態が異なり、左側端縁２Ｂが強く巻かれている。したがって、左側端縁２Ｂの予備矯正量は右側端縁２Ａのそれよりも大きくしなければならない。
【００４５】
図６は、第１装具２０と第２装具３０とに、紐状の巻き締め部材４０を巻き掛けて巻き締めすることによって、巻き爪の右側端縁２Ａ及び左側端縁２Ｂを開いていく過程を示し、図７は、予備矯正を終了した状態を示している。
【００４６】
図７に示されるように、第１装具２０と第２装具３０とは、そのフリーエンド部２９、３９が爪の正面から見て相互に接触していないが、上記のように、両者は干渉しないので、重なり合うまで巻き締め部材４０によって巻き締めることができ、必要であれば巻き爪の右側端縁２Ａ及び左側端縁２Ｂを更に大きく開くことができる。
【００４７】
図６及び図７、特に図７から分かるように、第２装具３０の第２フリーエンド部３９の、図７においてより高い位置にまで巻き締め部材４０が巻き掛けられている。これによって、第２装具３０に加えられる矯正力を形成するモーメントが第１装具２０に加えられるモーメントよりも大きくなり、左右の予備矯正が均一になる。
【００４８】
図８は、予備矯正後の爪に特許文献１に記載されるような巻き爪矯正用具５を装着して予備矯正状態を一定期間維持して固定する過程を示している。巻き爪矯正用具５は爪甲に沿って装着されるので、日常生活に支障が少ない。
【００４９】
なお、巻き締め部材４０が巻き掛けられる位置が右側、左側端縁２Ａ、２Ｂに近い程、矯正力が小さくなり、左右の一方のみが巻き爪の場合は、他方に掛る矯正力をゼロにすることもでき、巻き爪が重症の場合は、第１あるいは第２フリーエンド部２９、３９の外端位置に巻き締め部材４０を巻き掛けることになり、また、矯正途中で、矯正力ゼロと最大の間で適宜調整することができる。
【００５０】
更に、この実施例の場合、巻き締め部材４０による巻き締め力が、第１、第２ループ部２６、３６のねじり変形として蓄えられ、爪１の矯正力として矯正量に応じて放出されることになるので、円滑な矯正が可能である。
【００５１】
更に又、第１及び/又は第２装具２０、３０を、複数、爪１の右側及び/又は左側端縁に沿って並べて、該端縁に沿って均一に矯正力が掛けられるようにしてもよい。この場合、左右で異なる数の装具を用いてもよい。
【００５２】
次に、巻き締め部材４０の、図１に示される巻き爪の予備矯正用具１０への、具体的、且つ、詳細な巻き締め手順について説明をする。ここでは、巻き締め部材４０は糸とされている。
【００５３】
例えば、図３に示されるように、第２装具３０の第２フリーエンド部３９と第１装具２０の第１ループ部２６とを互いに引き付けあうように巻き締め部材（以下、糸）４０を掛けて巻き締めしていくと、第１係合部２２には矯正力が発生しないが、第２係合部３２には、幅方向左側端縁２Ｂを持ち上げる矯正力が働く。第１係合部２２に矯正力が働かない理由は次のとおりである。
【００５４】
第１ループ部２６と第２フリーエンド部３９とを糸４０によって引き付けあうと、第１ループ部２６に作用する力（幅方向右側端縁２Ａを中心とした第１円弧状部２３の曲げ力）が、超弾性の金属である第１掛止部２１を伝わって第１係合部２２に反対方向に作用するが、この時、てこの原理により、第１ループ部２６に作用する力の大きさに比べて、第１係合部２２に作用する力は極めて小さくなる。このため、第１係合部２２には、矯正力がほとんど作用しないことになる。
【００５５】
一方、第２フリーエンド部３９に作用する力は、第２係合部３２に伝達されるが、この場合は、てこの原理によって、第２フリーエンド部３９に加わる力よりもさらに大きな力が爪１の幅方向左側端縁２Ｂを持ち上げる方向に作用する。
【００５６】
即ち、ループとその反対側のフリーエンド部を、糸４０によって引き付け合うと、ループ側には矯正力がほとんど作用しないが、フリーエンド部側の幅方向側端縁（ここでは幅方向左側端縁２Ｂ）に対して、第２係合部３２から大きく矯正力が作用する。
【００５７】
本発明における矯正の原理は、上記のようなてこの原理によって、右側及び左側側端縁に対して別々に矯正力を働かせるものであり、このようにして、爪の幅方向右側及び左側端縁をそれぞれの理想的な角度にまで即時に矯正するものである。矯正が足りない場合は、後から更に必要な矯正を糸４０を巻き掛けることによって、その側の矯正を追加して行う。
【００５８】
以上を、図９〜図１４の写真を参照して、更に具体的に説明する。
【００５９】
まず、図９に示されるように、はじめに第１、第２装具２０、３０を爪１に固定するために、両方のループ（第１、第２ループ部２６、３６）部同士を糸４０によって引き付け合う。
【００６０】
このとき、一本の糸４０をその長さ方向中間点で折って、図１５における第２装具３０Ａへの結び方法と同様に、該中間点を二つ折りのまま、いわゆるひばり結び（Ｃｏｗｈｉｔｃｈ又はＬａｒｋ‘ｓ  ｈｅａｄ）により第１ループ部２６に掛けて、更に、２本になった糸を一つにした端部側を引っ張っていって、反対側の第２ループ部３６に通して、２つのループ部の引き締めを行う。
【００６１】
次に、図１０に示されるように、上記端部側を更に、第１ループ部２６に通して、ここから出た糸４０を反対側の第２フリーエンド部３９の湾曲個所にかけてそれを元に戻し、反対側の第１ループ部２６に掛けて、第２フリーエンド部３９と反対側の第１ループ部２６間を往復させて両者を引き付け、ある程度の矯正を第２フリーエンド部３９側にて行う。
【００６２】
次に、図１１に示されるように、第１フリーエンド部２９側の第１ループ部２６と、その反対側にある第２フリーエンド部３９との間に糸４０を往復させて、まだ矯正していない側（図１１において右側）の幅方向右側端縁２Ａの矯正を行う。
【００６３】
その後は、図１２、図１３に示されるように、矯正の程度を確認しながら、上記の要領で、糸４０による巻き締めをして必要な矯正を行い、幅方向右側端縁２Ａ及び左側端縁２Ｂを理想的な矯正角度にする。
【００６４】
なお、図１４の写真で、巻き締めの最後に、第１及び第２装具２０、３０の両方の上の方に糸４０を巻き付けてあるのは、糸４０が長くて余っている部分を巻き付けただけである。ただ、そうしておくことによって、引き付けた糸が緩まないようにすることができる。
【００６５】
又、第１及び第２装具の両方のフリーエンド部を、最初から、糸４０によって引き付け合うことはしない。これは、後々、個別にフリーエンド部を反対側のループ部に引き付けていく際に、はじめにフリーエンド部同士にかけた糸４０が邪魔になるからである。
【００６６】
本発明者は、爪の理想形は、ある程度湾曲があり、爪と趾の形のバランスにもよるが、約４０度の湾曲があるのが機能的に優れていることを見出した。したがって、ここでは、約４０度の湾曲になるまで矯正しておく。
【００６７】
従来は、巻き爪を極短時間で矯正する装具や方法がなく、時間をかけて矯正していく過程で、適当な湾曲で矯正を止めればよかった。しかし、本発明により極短時間で矯正可能になると、矯正のオーバーシュートが生じることを防止するために、予め矯正の目標値を上記のように設定することが必要になった。
【００６８】
目標値まで矯正した後は、図８に示されるような巻き爪矯正用具５を持続的に装着するだけで、その矯正力が小さくても、上記４０度前後の湾曲のある角度まで最終矯正に到達する。
【００６９】
即ち、本発明に係る重度巻き爪の予備矯正用具１０を用いることによって、あらかじめ予備矯正をしておくと、爪は、あとから容易に最終矯正することができる特徴を持つことになるので、簡単にその理想形にすることができる。
【００７０】
したがって、後から、持続的な装具である巻き爪矯正用具５を付けただけで、爪を理想形にして、且つ、その形を維持しながら形の固定をすることができる。
【００７１】
換言すれば、本発明の予備矯正用具と持続的な巻き爪矯正用具による２段階の操作によって、一次的には即時理想形の矯正をして、二次的にはその形の固定をすることができる。
【００７２】
ここで、上記の型の固定の原理について説明する。
【００７３】
本発明者は、爪を矯正して、その型を固定させるのには時間がかかることが分かっていたが、研究の結果、爪には、「粘弾性」という性質があるために、型の固定に時間がかかることを見出した。
【００７４】
「粘弾性」という性質は、元の形に徐々に戻ってくる性質であり、プラスチック等に見られるものであり、これに対して、通常の弾性はバネ等に見られるように、すぐに元の形に戻ろうとする性質である。
【００７５】
爪に「粘弾性」があることは、従来は知られていなかったが、本発明者は巻き爪の矯正治療例を重ねているうちに、巻き爪に「粘弾性」があることを発見した。更に、この「粘弾性」があるために、巻き爪の矯正の際の形の維持及び固定という操作が必要であることを発見した。
【００７６】
この形の維持及び固定のために、頭髪のパーマネントと同様に、化学的に繊維間の分子の結合状態を変えて、非可逆的に変化を加えることができるが、このようにすると、爪そのものが傷んでしまい、又、皮膚にとっても好ましくない。
【００７７】
本発明者は、患部に矯正用具を装着した状態で、温湯に浸漬すると、爪の繊維間の分子の結合状態が、水素結合のみの変化となり、爪が傷まず、自然な形での矯正ができるということを見出した。
【００７８】
詳細には、発明者は、巻き爪の予備矯正用具１０を装着した状態で、患部を、温湯（例えば湯温３５℃〜４５℃のもの）に１５分間程度浸けておくと、爪１をその裏側で強く引っ張って巻き爪の原因となっているケラチンの繊維が水分によって軟化（水素結合部の変化）して、その間に、爪１が、通常の巻き爪矯正用具を装着できる程度に復元することを見出した。また、予備矯正用具１０を装着する前に、患部を温湯で温めておいてもよく、装着後に再度温湯に浸けるようにしてもよい。更に、温湯を用いない場合でも、患部の状態によっては１５分から３０分で予備矯正が完成した。
【００７９】
実施例１に係る予備矯正用具１０において、第１装具２０及び第２装具３０は、それぞれ、第１ループ部２６と第１フリーエンド部２９、及び、第２ループ部３６と第２フリーエンド部３９を備えて構成されているが、本発明はこれに限定されるものでなく、第１装具については、第１掛止部２１及び第１円弧状部２３のみを備えたものであってもよく、同様に、第２装具は、第２掛止部３１と第２円弧状部３３のみを備えたものであってもよい。
【００８０】
又、実施例１において、第１、第２装具２０、３０の第１、第２掛止部２１、３１は、爪の右側及び左側端縁２Ａ、２Ｂに下側から引っ掛けるようにして係合される第１、第２係合部２２、３２を備えているが、本発明はこれに限定されるものでなく、右側、左側端縁２Ａ、２Ｂの外側に熱可塑性樹脂の固まりを取付けた第１、第２掛止部を構成してもよい（詳細後述）。
【実施例２】
【００８１】
実施例２において、第１及び第２装具はともにＳ字形状となる。詳細には、図１５に示されるように、実施例２の重度巻き爪の予備矯正用具１０Ａにおける第１装具２０Ａは下向きに凸の下第１円弧状部２３Ａ及びこの下第１円弧状部２３Ａの上端から連続する上向きに凸の上第１円弧状部２３Ｂを、第１直平面２５内でＳ字形状に形成してなり、前記共通直平面４１内で、爪１の先端側から見て下第１円弧状部２３Ａの上向きの先端が爪の幅方向右側端縁２Ａの裏側に係合可能な、第１掛止部２１を構成し、また、上第１円弧状部２３Ｂにおける円弧の一部が、その外側で、爪甲３の表面に当接可能な第１円弧状部２３を構成し、上第１円弧状部２３Ｂは、第１掛止部２１が、爪１の幅方向右側端縁２Ａに引掛けられた状態で、巻き締め部材４０が掛けられるように構成されている。
【００８２】
第２装具３０Ａは、下向きに凸の下第２円弧状部３３Ａ及びこの下第２円弧状部３３Ａの上端から連続する上向きに凸の上第２円弧状部３３Ｂを、第２直平面３５内で連続的に形成してなり、前記共通直平面４１内で、爪１の先端側から見て、下第２円弧状部３３Ａの上向きの先端が爪の幅方向左側端縁２Ｂの裏側に係合可能な前記第２掛止部３１を構成し、また、上第２円弧状部３３Ｂにおける円弧の一部が、その外側で、爪甲３の表面に当接可能な前記第２円弧状部３３を構成し、上第２円弧状部３３Ｂは、第２掛止部３１が爪の幅方向左側端縁２Ｂに引掛けられた状態で、巻き締め部材４０が掛けられるように構成されている。
【００８３】
実施例２は、巻き締め部材４０を巻き掛けたときの引張り力の作用点の、爪１の右側及び左側端縁２Ａ、２Ｂからの距離が短くなるので、これらに強い矯正力をかけることはできないが、巻き爪が非常に小さく、実施例１のようなループ部を有する予備矯正用具では装着できない場合に用いることができる。
【実施例３】
【００８４】
図１６に示されるように、実施例３に係る巻き爪の予備矯正用具１０Ｂにおける第１装具２０Ｂは、前記実施例２における上第１円弧状部２３Ｂの、下第１円弧状部２３Ａと反対側の端部から連続して、第１直平面２５とほぼ同一の面内に形成され、該上第１円弧状部２３Ｂと同一方向に巻かれた第１ループ部２６を有し、巻き締め部材４０は、上第１円弧状部２３Ｂ及び第１ループ部２６の延長部２６ａに巻き掛け可能とされている。
【００８５】
第２装具３０Ｂは、第１装具２０Ｂにおける第１ループ部２６と同様に、第２ループ部３６を有し、この第２ループ部３６の延長部３６ａを備えている。
【００８６】
この実施例３に係る巻き爪の予備矯正用具においては、実施例１と比較して、渦巻状の第１、第２フリーエンド部２９、３９が設けられていないので、その分短く、第１装具２０Ｂ、第２装具３０Ｂを巻き締め部材４０によって相互に大きく引っ張る必要がない場合に用いる。
【実施例４】
【００８７】
次に図１７に示される、実施例４に係る巻き爪の予備矯正用具１０Ｃについて説明する。
【００８８】
実施例４において、第１装具２０Ｃ及び第２装具３０Ｃは、それぞれ実施例３の第１、第２ループ部２６、３６と同様の第１主ループ２６Ａ、第２主ループ３６Ａを備え、更にこれから連続する第１副ループ２６Ｂ、第２副ループ３６Ｂをそれぞれ備えて構成されている。
【００８９】
この実施例４の場合は、ループ部が２つ設けられているので、巻き締め部材４０によって巻き締めたとき、ループ部が１つの場合よりも、爪甲３に沿って大きく引っ張って湾曲させて、矯正力を均一に、且つ、円滑に爪１に作用させることができる。
【実施例５】
【００９０】
次に、図１８Ａ、図１８Ｂに示される実施例５について説明する。なお、図１８Ａにおいて、爪１（模型）は図１におけると反対向き（裏向き）とされていて、図１８Ｂでは、図１８Ａの状態から反時計方向に傾けて示されている。
【００９１】
実施例５に係る巻き爪の予備矯正用具１０Ｄの第１装具２０Ｄは、実施例２に係る巻き爪の予備矯正用具１０Ａにおける第１装具２０Ａの、第１掛止部２１と第１円弧状部２３との間に第１平行ループ部２８を設け、第２装具３０Ｄも、同様に、第２平行ループ部３８を設けたものである。
【００９２】
第１平行ループ部２８は、第１掛止部２１と第１円弧状部２３との間で、第１直平面２５と直交し、且つ、爪１の幅方向右側端縁２Ａと平行な第１平行直平面２８ａ内に、第１掛止部２１から第１円弧状部２３まで連続して形成されている。
【００９３】
又、第２装具３０Ｄにおける第２平行ループ部３８は、第２掛止部３１と第２円弧状部３３との間で、第２直平面３５と直交し、且つ、爪１の幅方向左側端縁２Ｂと平行な第２平行直平面３８ａ内に、第２掛止部３１から第２円弧状部３３まで連続するように形成されている。
【００９４】
この実施例５に係る巻き爪矯正用具１０Ｄは、第１装具２０Ｄを爪１に装着したとき、第１平行ループ部２８が爪甲３に沿った平面内で接触し、同様に、第２装具３０Ｄを爪１に装着したとき、第２平行ループ部３８が爪甲３に沿って接触するので、第１装具２０Ｄ、第２装具３０Ｄのどちらも、第１、第２掛止部２１、３１と第１、第２円弧状部２３、３３を含む第１直平面２５及び第２直平面３５が、常に爪甲３に対して直交するように維持されるので、安定して爪に装着することができる。
【実施例６】
【００９５】
次に、図１９に示される本発明の実施例６について説明する。
【００９６】
この実施例６に係る巻き爪の予備矯正用具１０Ｅは、爪甲に熱接着・硬化可能な熱可塑性樹脂部により、第１係合部と第２係合部を構成したものである。
【００９７】
詳細には、第１装具２０Ｅと第２装具３０Ｅとにおける、第１係合部２２と第２係合部３２に相当する部分を、それぞれ第１熱可塑性樹脂部５１及び第２熱可塑性樹脂部６１としたものであり、これら第１、第２熱可塑性樹脂部５１、６１は、爪１の幅方向右側端縁２Ａ及び幅方向左側端縁２Ｂの外側位置に熱接着・硬化可能とされている。
【００９８】
第１、第２熱可塑性樹脂部５１、６１に対しては、第１掛止部２１には第１線状引掛部５２、第２掛止部３１には第２線状引掛部６２がそれぞれ設けられていて、これらが第１、第２熱可塑性樹脂部５１、６１に掛止可能とされている。
【００９９】
第１、第２熱可塑性樹脂部５１、６１には、爪１に熱接着・硬化された状態で、爪甲３の幅方向中心線４と平行な第１引掛孔部５３、第２引掛孔部６３がそれぞれ設けられ、また、これらに対して、それぞれ挿通、且つ、引き抜き自在の第１、第２直線状部５２Ａ、６２Ａが第１、第２線状引掛部５２、６２に設けられている。
【０１００】
この実施例６は、第１、第２熱可塑性樹脂部５１、６１が爪の外側に熱接着され得るので、Ｕ字形状の第１及び/又は第２係合部２２、３２を巻き爪に掛けることができないような場合に用いられる。
【実施例７】
【０１０１】
次に、図２０に示される本発明の実施例７に係る巻き爪の予備矯正用具１０Ｆについて説明する。
【０１０２】
この実施例７は、可撓性部材からなる巻き締め部材４０の変形例を用いるものであり、巻き締め部材４０Ｆは、実施例１に用いられるような紐状の巻き締め部材４０と、第１装具及び第２装具に掛けられるゴム帯７０とから構成されている。
【０１０３】
ゴム帯７０は、第１掛止部２１及び第２掛止部３１を、第１直平面２５と第２直平面３５とが、爪甲３の面及び爪甲３の幅方向中心線４と直交する同一直平面内にあるように、且つ、爪１の先端側から見て、左右対称に爪１の幅方向右側端縁２Ａ及び左側端縁２Ｂに引掛けた状態で第１円弧状部２３及び第２円弧状部３３に掛けられるようになっている。
【０１０４】
このゴム帯７０は、一端に第１円弧状部２３が貫通する第１貫通孔７０Ａと他端に第２円弧状部３３が貫通する第２貫通孔７０Ｂとをそれぞれ備え、且つ、第１、第２円弧状部２３、３３の間において、爪甲３に密着するように構成されている。
【０１０５】
なお、このゴム帯７０は、上記実施例１〜実施例６のいずれにも適用されるものである。
【０１０６】
この実施例では、爪の幅方向右側端縁及び左側端縁に引掛けられた状態の第１及び第２掛止部の姿勢を安定させることができるので、巻き締め部材４０を第１、第２装具２０、３０に巻き掛けるときに安定して操作をすることができる。
【０１０７】
なお、上記各実施例において、第１装具と第２装具は回転対称に形成されているが、本発明はこれに限定されるものでなく、これらは左右対称に構成しても良い。更に、上記実施例はいずれも左右同一の大きさ、形状の装具を用いているが、これは、第１装具と第２装具の大きさや形状を異なるもので組合せても良い。
【符号の説明】
【０１０８】
１…爪
２Ａ…（幅方向）右側端縁
２Ｂ…（幅方向）左側端縁
３…爪甲
４…幅方向中心線
５…巻き爪矯正用具
１０、１０Ａ、１０Ｂ、１０Ｃ、１０Ｄ、１０Ｅ、１０Ｆ…巻き爪の予備矯正用具
２０、２０Ａ、２０Ｂ、２０Ｃ、２０Ｄ、２０Ｅ、２０Ｆ…第１装具
２１…第１掛止部
２２…第１係合部
２３…第１円弧状部
２３Ａ…下第１円弧状部
２３Ｂ…上第１円弧状部
２４…接続部
２５…第１直平面
２６…第１ループ部
２６ａ…延長部
２６Ａ…第１主ループ
２６Ｂ…第１副ループ
２８…第１平行ループ部
２９…第１フリーエンド部
３０、３０Ａ、３０Ｂ、３０Ｃ、３０Ｄ、３０Ｅ、３０Ｆ…第２装具
３１…第２掛止部
３２…第２係合部
３３…第２円弧状部
３３Ａ…下第２円弧状部
３３Ｂ…上第２円弧状部
３４…接続部
３５…第２直平面
３６…第２ループ部
３６ａ…延長部
３６Ａ…第２主ループ
３６Ｂ…第２副ループ
３８…第２平行ループ部
３９…第２フリーエンド部
４０、４０Ｆ…巻き締め部材
４１…共通直平面
５１…第１熱可塑性樹脂部
５２…第１線状引掛部
５２Ａ…第１直線状部
５３…第１引掛孔部
６１…第２熱可塑性樹脂部
６２…第２線状引掛部
６２Ａ…第２直線状部
６３…第２引掛孔部
７０…ゴム帯
７０Ａ…第１貫通孔
７０Ｂ…第２貫通孔
【要約】
【課題】重度の巻き爪の幅方向端縁を短時間で開いて常時装着用の矯正用具の装着可能な状態にする。
【解決手段】線状弾性材を屈曲してなり、爪１の右側、左側端縁２Ａ、２Ｂに係合可能な第１、第２装具２０、３０と、爪１に係合状態の、第１、第２装具２０、３０に巻き付けられ、これらを引き付ける巻き締め部材４０とからなり、第１装具２０は右側端縁２Ａに係合可能な第１掛止部２１と、係合状態で爪甲３に当接するように凸に湾曲された第１円弧状部２３とを、第１直平面２５内で連続して形成してなり、第１掛止部２１と反対側が第１フリーエンド部２９とされ、第２装具３０は、同様の第２掛止部３１と、第２円弧状部３３とを、第２直平面３５内で連続して形成し、第２フリーエンド部３９を有し、巻き締め部材４０は、第１及び第２掛止部２１、３１が、爪甲３の面と直交する共通直平面４１内で、左右対称に幅方向右側、左側端縁２Ａ、２Ｂに引掛けられた状態で、第１円弧状部２３と第１フリーエンド部２９を含むこれらの間及び第２円弧状部３３と第２フリーエンド部３９を含むこれらの間に巻き掛け可能とされた重度巻き爪の予備矯正用具１０。
【選択図】図１【図１】
0005469277.tif 000002
【図２】
0005469277.tif 000003
【図３】
0005469277.tif 000004
【図４】
0005469277.tif 000005
【図１５】
0005469277.tif 000006
【図１６】
0005469277.tif 000007
【図１７】
0005469277.tif 000008
【図１８Ａ】
0005469277.tif 000009
【図１８Ｂ】
0005469277.tif 000010
【図１９】
0005469277.tif 000011
【図２０】
0005469277.tif 000012
【図２１】
0005469277.tif 000013
【図５】
0005469277.tif 000014
【図６】
0005469277.tif 000015
【図７】
0005469277.tif 000016
【図８】
0005469277.tif 000017
【図９】
0005469277.tif 000018
【図１０】
0005469277.tif 000019
【図１１】
0005469277.tif 000020
【図１２】
0005469277.tif 000021
【図１３】
0005469277.tif 000022
【図１４】
0005469277.tif 000023